(57)【要約】【課題】ＧＩＳで作成したデータファイルを、ドロー系グラフィックソフトを印刷用ソフトウェアとして使用して多部印刷を行う。精密な地形画像を印刷する。【解決手段】ラスタデータとベクタデータとを含む複合データファイルを作成することが可能な第１のソフトウェアを使用して作成した複合データファイルを、その複合データファイルのラスタデータとベクタデータとを個別に印刷して出力することのできる第２のソフトウェアに取り込み、その第２のソフトウェアを使ってその複合データファイルに含まれるラスタデータとベクタデータとを個別に印刷する。第１のソフトウェアと第２のソフトウェアとが、異なるオペレーティングシステムを搭載した機種環境下で動作するソフトウェアであってもよい。【特許請求の範囲】
【請求項１】
ラスタデータとベクタデータとを含む複合データファイルを作成することが可能な第１のソフトウェアを使用して作成した上記複合データファイルを、その複合データファイルのラスタデータとベクタデータとを個別に印刷して出力することのできる第２のソフトウェアに取り込み、その第２のソフトウェアを使ってその複合データファイルに含まれるラスタデータとベクタデータとを個別に印刷することを特徴とする地理情報の多部印刷システム。
【請求項２】
第１のソフトウェアと第２のソフトウェアとが、異なるオペレーティングシステムを搭載した機種環境下で動作するソフトウェアである請求項１に記載した地理情報の多部印刷システム。
【請求項３】
上記複合データファイルに含まれるラスタデータが基図データ又は画像データであり、同ベクタデータが主題図データである請求項１に記載した地理情報の多部印刷システム。
【請求項４】
ラスタデータの印刷物が基図版下であり、ベクタデータの印刷物が主題図版下である請求項１に記載した地理情報の多部印刷システム。
【発明の詳細な説明】
【０００１】
【発明の属する技術分野】
本発明は、地理情報の多部印刷システムに関する。
【０００２】
【従来の技術】
土地利用・資源・環境・交通・都市施設・その他の行政などに必要な案件の計画及び管理に係わる意思決定を支援することを可能にするソフトウェアとして、ＧＩＳ（地理情報システム：Ｇｅｏｇｒａｐｈｉｃ　Ｉｎｆｏｒｍａｔｉｏｎ　Ｓｙｓｔｅｍ　）が知られている。このＧＩＳは、地理的に関連するデータの入力・保存・検索・計算・分析及び出力を行うソフトである。言い換えると「白地図（基図）の上に、関連するデータの地理的座標を割り当てることにより、マップ上で上記した土地利用や資源などの環境データ（主題図）を表示したり、検索・計算・分析を行うことができるようにするためのソフトであり、特定のオペレーションシステム（以下「ＯＳ」という）、具体的にはウインドウズ（商品名）を搭載した機種環境（以下「ウインドウズ系環境」という）下でのみ動作する。
【０００３】
現在、国内ではおおよそ２２種類のＧＩＳが知られており、その主なものとして、マップインフォ、マイクロステーション・ベントレーシステム、ジオメディア・日本インターグラフ、アークインフォ・パスコ、ＰＣマッピング・マプコン、ジオコンセプト（いずれも商品名）などが汎用性の高いソフトウェアであるとして知られている。
【０００４】
上掲の各ＧＩＳを使った入力操作では、総じて次の作業手順を踏査して作業が進められる。
【０００５】
すなわち、アナログの地形図をスキャナでＧＩＳに読み込むことにより、その地形図をラスタデータに変換して保存する（基図データファイル作成）。次に、ＧＩＳにより基図データファイルを呼び出して基図をモニター上に表示し、表示された基図の上に、主題ごとに個別に作成したレイヤーを重ね合わせる（主題図データ作成）。こうして作成する主題図データは、モニター上では、基図の上に重ねて表示された区画線などの形態で表示される。主題ごとに個別に作成されたレイヤーはすべてベクタデータである。そのため、ＧＩＳで作成保存したデータファイルは、ラスタデータである基図データと、ベクタデータである主題図データとが含まれ、場合によっては、添付される写真や画像のデータをも含む複合データファイルとなる。なお、主題図とは、たとえば「土石流の氾濫地域」を指し示す線図、「地すべり危険区域」を指し示す線図、「避難所の位置図」などを指し示す線図のことである。
【０００６】
ここで、ラスタデータは、細かい点の集まりでオブジェクトを表現するデータ形式であり、写真や画像として扱われるジェイペグ（ＪＰＥＧ）やビットマップなどの形式のほとんどはラスタデータであり、互換性に優れている反面で、ベクタデータと比べてデータ量が多くなることと、拡大するとドットのギザギザが目立って画質が低下するという性質を持っている。これに対し、ベクタデータは、ラスタデータとは異なり図形の座標や角度を数値化したもので、拡大しても滑らかな図形として表示される反面で、複雑な図形になればなるほど表示に時間がかかったり、表現があいまいになることがある。
【０００７】
一方、ＧＩＳは、モニター上で「見る」ということに主眼をおいたソフトウェアであり、カラープリンターなどの各種のプリンターで出力することを「印刷」と称している。このため、ＧＩＳに属するソフトウェアは、一部のデータから版出力をして多部数を印刷機で印刷するという「印刷業務」を意識した上での印刷用ソフトウェアとの互換性や相互連携には馴染まないことが多い。しかも、ＧＩＳの本来的な使途は、「マップとデータとを関連付けた資料を整理すること」であるから、「印刷業務」との互換性や相互連携がもともと考慮されていないとも云える。
【０００８】
他方、ＧＩＳは、モニター上で快速かつ円滑に動作させるために、スキャナで読み込んだビットマップデータの地形画像（基図）の解像度を低くして表示している。故に、ビットマップデータ形式のデータファイルは、ＧＩＳで出力（すなわち印刷する）する場合は、モニターに表示される解像度で印刷が行われるため、精密な基図（地形画像）を印刷することができない。
【０００９】
また、ＧＩＳは、多部印刷、すなわちフィルムシートに版下を作り出すこと、言い換えると、地形図（基図）のみを表したフィルムシート版下（以下「基図版下」という）の作成と、色彩系のフィルムシート版下（以下「主題図版下」という）（ＣＭＹＫカラーシート）の作成とを個別に行うことができるようにはなっていない。
【００１０】
これに対し、ウインドウズと並んで代表的なＯＳであるマッキントッシュ（商品名）を搭載した機種環境（以下「マック系環境」という）下で動作するドロー系グラフィックソフト（たとえばアドビ・イラストレーター（商品名））は、１つのデータファイルに含まれるラスタデータとベクタデータとを個別に印刷して、上記した多部印刷を行うことの出来るソフトウェアである。
【００１１】
【発明が解決しようとする課題】
そこで、ＧＩＳを使った印刷では上記のように精密な基図（地形画像）を印刷することができないことに鑑み、ＧＩＳで作成保存した複合データファイルに含まれる基図データ（ラスタデータ）と主題図データ（ベクタデータ）とを、マック環境下でのみ動作するドロー系グラフィックソフトに読み込んで基図データと主題図データとを印刷することを試みた。
【００１２】
しかし、ＧＩＳで作成保存した複合データファイルに含まれる基図データはビットマップ形式であり、ＧＩＳによってモニターに表示される解像度で印刷が行われるため、精密な基図（地形画像）を印刷することができなかった。また、基図データと主題図データとを別々のフィルムシートに印刷して基図版下（主版）と主題図版下（分版）とを作成するという多部印刷を行うことができなかった。
【００１３】
これは次の理由によるものと考えられる。すなわち、ＧＩＳで動作する基図データはビットマップデータであり、その基図データ上に主題図データをベクタデータで作成するため、印刷は、基図データの印刷画像の上に、主題図データの印刷画像を重ねて出力しているに過ぎないからであると考えられる。
【００１４】
本発明は以上の状況の下でなされたものであり、たとえば、ウインドウズ環境で動作するＧＩＳで作成したデータファイルを、マック環境で動作するドロー系グラフィックソフトを印刷用ソフトウェアとして使用して多部印刷を行うことが可能になり、しかも、精密な地形画像を印刷することが可能になる地理情報の多部印刷システムを提供することを目的とする。
【００１５】
言い換えると、ＧＩＳで作成したデータファイルを他のソフトに移行しようとした場合は、ＧＩＳ上で一旦１枚の画像データ（ビットマップ形式又はジェイペグ形式）に変換して移行するしかなかったが、この場合は、解像度に問題があり、画像データに変換する段階ではＧＩＳで運用していた解像度（７２ｄｐｉ）のままで変換するほかなかった。そこで、本発明により、ラスタデータとベクタデータとを別々に離れたままの形式でファイルを移行させることができるようにして基図データの解像度を単独で上げられるようにすることを可能にしようとするものである。
【００１６】
【課題を解決するための手段】
本発明に係る地理情報の多部印刷システムは、ラスタデータとベクタデータとを含む複合データファイルを作成することが可能な第１のソフトウェアを使用して作成した上記複合データファイルを、その複合データファイルのラスタデータとベクタデータとを個別に印刷して出力することのできる第２のソフトウェアに取り込み、その第２のソフトウェアを使ってその複合データファイルに含まれるラスタデータとベクタデータとを個別に印刷する、というものである。
【００１７】
本発明においては、第１のソフトウェアと第２のソフトウェアとが、異なるオペレーティングシステムを搭載した機種環境下で動作するソフトウェアであってもよい。
【００１８】
本発明においては、上記複合データファイルに含まれるラスタデータが基図データ又は画像データであり、同ベクタデータが主題図データである。
【００１９】
本発明においては、ラスタデータの印刷物が基図版下であり、ベクタデータの印刷物が主題図版下である。
【００２０】
【発明の実施の形態】
次に、本発明に係る地理情報の多部印刷システムの実施形態を説明する。
【００２１】
この実施形態は、ウインドウズ系環境で動作するＧＩＳで作成保存した複合データファイルを、マック系環境で動作するドロー系グラフィックソフトに読み込んで多部印刷しようとするものである。ここで、ＧＩＳで作成保存した複合データファイルは、ラスタデータである基図データと、ベクタデータである主題図データと、ラスタデータである写真や画像の添付データとを含んでいる。また、ＧＩＳには既述のマップインフォ（商品名）を使用し、ドロー系グラフィックソフトには既述のアドビ・イラストレーターを用いた。さらに、多部印刷とは、フィルムシートに版下を作り出すこと、すなわち、背景図としての基図のみを印刷したフィルムシートでなる基図版下（主版）と、フィルムシートに色彩系の主題図のみを印刷したフィルムシート（ＣＭＹＫカラーシート）でなる主題ごとの主題図版下（分版）とを作成することである。
【００２２】
この実施形態では、ウインドウズ系環境下で動作するＧＩＳ（具体的にはマップインフォ）を使って複合データファイルを作成保存する工程（複合データファイル作成保存工程）と、複合データファイル作成保存工程で得られた成果品である複合ファイルデータを外部記憶媒体（具体的にはＭＯディスクに保存する工程−外部ディスク保存工程）と、ＭＯ保存工程でＭＯに保存した複合データファイルをマック系環境下で動作するドロー系グラフィックソフト（具体的にはアドビ・イラストレーター）を使って多部印刷する工程（多部印刷工程）とが行われる。
【００２３】
（１）複合データファイル作成保存工程
この工程では、アナログの地形図をスキャナでＧＩＳ（マップインフォ）に読み込むことにより、その地形図をラスタデータに変換して保存し、基図データファイルを作成する。次に、ＧＩＳ（マップインフォ）に基図データファイルを呼び出して基図をモニター上に表示し、表示された基図の上に、主題ごとに個別に作成したレイヤーを重ね合わせて主題図データを作成する。こうして作成する主題図データは、モニター上では、基図の上に重ねて表示された区画線などの形態で表示される。主題ごとに個別に作成されたレイヤーはすべてベクタデータである。
【００２４】
こうして得られる成果品は、ウインドウズ系環境で動作するメタファイル形式（ＷＭＦ）で保存される。ここで採用されているメタファイル形式（ＷＭＦ）による保存形式は、ビットマップデータ（基図データ）とベクタデータ（主題図データ）とを分離して保存することのできる形式である。そのため、保存されたデータファイルは、ラスタデータである基図データと、ベクタデータである主題図データとを含む複合データファイルである。
【００２５】
（２）外部ディスク保存工程
この工程は、ウインドウズ系環境下で作成保存した複合データファイルを、ウインドウズ系ＯＳとは別のＯＳであるマック系環境下に移転させることの便宜のために行われるものであり、データ量を勘案して外部記憶媒体としてＭＯディスクを選択したものである。この工程でＭＯディスクに保存された複合データファイルは、ＧＩＳ（マップインフォ）で作成保存した複合データファイルと同じ解像度を持っている。
【００２６】
ここまでの工程でＧＩＳ（マップインフォ）を使って行う作業は完了する。したがって、ＧＩＳ（マップインフォ）で作成され、ウインドウズ系のメタファイル（ＷＭＦ）で保存された複合データファイルが成果品として得られる。
【００２７】
次に後続作業として、マック系環境下で動作するドロー系グラフィックソフト（アドビ・イラストレーター：特にＶ９）を使う多部印刷工程に移行する。
【００２８】
（３）多部印刷工程
外部ディスク保存工程の成果品であるＷＭＦメタファイル形式の複合データファイルを、マック系環境下で動作するドロー系グラフィックソフト（アドビ・イラストレーター）で開くと、ベクタデータはオブジェクトに変換され、ラスタデータはアートワーク（白紙の作業用スペース）に埋め込まれ、この瞬間に、ラスタデータとベクタデータが、ドロー系グラフィックソフト（アドビ・イラストレーター）で操作できるラスタとベクタのオブジェクトに変換される。そして、この時点から、基図の解像度を調節することができるようになる。
【００２９】
このドロー系グラフィックソフト（アドビ・イラストレーター）は、ラスタデータの解像度をスキャニング時の解像度まで意のままにコントロールする機能を備えている。そこで、この機能を利用することにより、ラスタデータの解像度を上げておく。たとえば、スキャニングの解像度が２５０ｄｐｉであった場合には、ラスタデータの解像度を２５０ｄｐｉまで上げておく。また、複合データファイルに含まれるレイヤーによって作成されているラスタデータ（主題図データ）は、ドロー系グラフィックソフト（アドビ・イラストレーター）を使ってモニター上に表示すると、ドットの図形柄で埋まった地域が真っ黒になって現れるので、ドロー系グラフィックソフト（アドビ・イラストレーター）を使って、その色を、ＧＩＳ（マップインフォ）で指定している色と合わせて変換し直す。この作業は、複合データファイルに含まれる個々のレイヤーのベクタデータに対して行う。また、必要があれば、個々のレイヤーをドロー系グラフィックソフト（アドビ・イラストレーター）上で編集してレイヤーのカラー調整などを行う。
【００３０】
この後、複合データファイルに含まれている基図データや主題図データを１枚の図面にするためにラスタライズを行う。ラスタライズとは、アウトラインフォントやグラフィックデータを解像度に応じたビットマップデータに変換することであり、このラスタライズを実行することによって、基図と主題図とが１枚の白紙の台紙に貼り付けられて合版とされる。
なお、ラスタライズを実行した後のカラーモードは、複合データファイルをＧＩＳ（マップインフォ）で作成したためにＲＧＢカラーの状態になっていて、これは印刷に不向きであるため、カラーモードを印刷に適しているＣＭＹＫカラーに変換しておく。
【００３１】
この段階で、印刷業務の製版工程に対応が可能なドロー系グラフィックソフト（アドビ・イラストレーター）上に実在する図面が完成したことになるので、最後にこのファイルを保存する。保存形式にはＴＩＦＦ形式を選ぶことが望ましい。これは、画像データの劣化が無く、しかも、ドロー系グラフィックソフト（アドビ・イラストレーター）でスムーズに取り扱うことができるからである。
【００３２】
この後、出力機を介して製版（４色・ＣＭＹＫのフィルム）を出力し、刷版（印刷機に掛ける版）を作成して印刷を行う。
【００３３】
【発明の効果】
以上のように、本発明によれば、ＧＩＳで作成したデータファイルを、ドロー系グラフィックソフトを印刷用ソフトウェアとして使用して多部印刷を行うことが可能になり、しかも、精密な地形画像を印刷することが可能になる。